(57)【要約】  水筒体（１）と、電解プレート（２）と、対流プレート（３）と、機器本体（４）とを備える対流式電解カップであって、水筒体（１）内のキャビティ下方の中心箇所には電解プレート（２）が水平に装着され、且つ電解プレート（２）の表面には複数のスルーホールが均等に分布される。電解プレート（２）の下方には対流プレート（３）が固設され、対流プレート（３）の中間部分には上向きの凸部（３１）が形成され、且つ凸部（３１）は電解プレート（２）の中心部位を上に向けて貫通する。対流プレート（３）には凸部（３１）から下に向けて両側に弧面がそれぞれ形成され、水筒体（１）の底部には機器本体（４）が固設される。
2019519683.tif 000002
【特許請求の範囲】
【請求項１】
水筒体（１）と、電解プレート（２）と、対流プレート（３）と、機器本体（４）とで構成され、前記水筒体（１）内のキャビティ下方の中心箇所には電解プレート（２）が水平に装着されると共に前記電解プレート（２）の表面には複数のスルーホールが均等に分布され、且つ前記電解プレート（２）の下方には対流プレート（３）が固設され、該対流プレート（３）の中間部分には上向きの凸部（３１）が形成されると共に該凸部（３１）は上に向けて電解プレート（２）の中心部位を貫通し、前記凸部（３１）は電解プレート（２）表面の水平高度よりも高く、前記対流プレート（３）には凸部（３１）から下に向けて両側に弧面がそれぞれ形成され、前記水筒体（１）の底部には機器本体（４）が固設されることを特徴とする対流式電解カップ。
【請求項２】
各２つのスルーホールの間隔は等間隔であることを特徴とする請求項１に記載の対流式電解カップ。
【請求項３】
前記凸部（３１）の上端は弧面構造を有することを特徴とする請求項１に記載の対流式電解カップ。
【請求項４】
各スルーホールの孔径は同じであることを特徴とする請求項１に記載の対流式電解カップ。
【発明の詳細な説明】
【技術分野】
【０００１】
本発明は、電解カップに関し、更に詳しくは、対流式電解カップに関する。
【背景技術】
【０００２】
電解カップは、水と接触した瞬間に数万の対電極を形成させ、水に対する電解作用を発生させて水中の水素イオンに水素を形成させて水面から溢れ出させ、且つ水酸化物イオンを発生させて水を弱アルカリ性に変化させるものを指す。ＰＨ値が７．５〜９．５の間にある場合、人体の酸毒に対する極めて好ましい中和能力を有する。活性水素の存在により、水に-２５０ｍｖの負電位を形成させ、極めて強い還元性を有し、人体の余剰な遊離基を排除し、同時に微電解、遠赤外線、及び磁場の作用により、大分子団の水分子鎖を断裂させ、水分子構造を再配列させて組み合わせ、活力が充満した５〜７個の水分子の小分子団の六角水を形成させる。この状態の水分子は配列が整理され、凝集力が強く、分子間の吸着力は弱く、表面張力も弱く、人体の細胞の水に最も近い。このように人体の細胞内の水に近いため、吸収されやすく、人体の細胞を活性化させる。また、それが放出するミネラル及び多種類の微量元素はアンチエイジングや、動脈硬化及び高血圧の防止等の効果を有し、健康で長生きする目的を達成させる。
【発明の概要】
【発明が解決しようとする課題】
【０００３】
しかしながら、従来の電解カップ構造には欠陥が存在する。一般的には通常電解カップ中に電解プレートが設置され、電解プレート上の陽極及び陰極が水の分解を行い、酸素及び水素を発生させ、上昇気流により水筒中に流入させる。このような電解カップにより分解されて発生した気体は中和しやすく、水中の水素濃度が低くなる。
そこで、以上の欠点に対し、従来の技術を合理的に改善する必要がある。
【０００４】
以上の欠陥に対し、本発明は水中の水素濃度を有効的に高める対流式電解カップを提供し、従来の技術の多くの不足を解決させる。
【課題を解決するための手段】
【０００５】
上述した目的を達成するために、本発明には以下の技術方案が採用される。
対流式電解カップは、水筒体と、電解プレートと、対流プレートと、機器本体とで構成される。前記水筒体内のキャビティ下方の中心箇所には電解プレートが水平に装着されると共に前記電解プレート表面には複数のスルーホールが均等に分布される。また、前記電解プレート下方には対流プレートが固設され、前記対流プレートの中間部分には上向きの凸部が形成され、且つ前記凸部は上に向けて電解プレートの中心部位を貫通させる。前記凸部は電解プレート表面の水平高度よりも高い。前記対流プレートには凸部から下に向けて両側に弧面がそれぞれ形成され、前記水筒体の底部には機器本体が固設される。
【０００６】
対応するように、各２つのスルーホールの間隔は等間隔である。前記凸部の上端は弧面構造を有し、各スルーホールの孔径は同じである。
【０００７】
本発明に係る前記対流式電解カップの有益な効果は、カップ下方に対流プレートが増設されることにより、前記対流プレートの中間部分が突起して両端が低くなり、水が電解される際に発生した酸素が流動して対流プレートに当たった後、対流が発生し、水中の酸素が対流プレートの凸部分に沿って上昇し、先に酸素が大気中に放出され、水中の水素濃度が高くなる。
【図面の簡単な説明】
【０００８】
【図１】本発明の一実施形態に係る対流式電解カップの構成を示す概略図である。
【図２】本発明の一実施形態に係る対流式電解カップの底部を示す概略図である。
【図３】Ａ−Ａ方向に沿う断面概略図である。
【図４】Ｃ−Ｃ方向に沿う断面概略図である。
【図５】本発明の一実施形態に係る対流式電解カップの一部の構成を示す概略図である。
【発明を実施するための形態】
【実施例１】
【０００９】
図１乃至図５に示すように、本発明の実施例に係る前記対流式電解カップは、水筒体１と、電解プレート２と、対流プレート３と、機器本体４とで構成される。前記水筒体１内のキャビティ下方の中心箇所には電解プレート２が水平に装着されると共に前記電解プレート２表面には複数のスルーホールが均等に分布され、各２つのスルーホールの間隔は等間隔である。また、前記電解プレート２下方には対流プレート３が固設され、前記対流プレート３の中間部分には上向きの凸部３１が形成され、且つ前記凸部３１は上に向けて電解プレート２の中心部位を貫通させる。前記凸部３１は電解プレート２表面の水平高度よりも高い。
対応するように、前記対流プレート３には凸部３１から下に向けて両側に弧面がそれぞれ形成され、前記水筒体１の底部には機器本体４が固設される。
【実施例２】
【００１０】
図１乃至図５に示すように、本発明の実施例に係る前記対流式電解カップは、水筒体１と、電解プレート２と、対流プレート３と、機器本体４とで構成される。前記水筒体１内のキャビティ下方の中心箇所には電解プレート２が水平に装着され、前記電解プレート２の表面には複数のスルーホールが均等に分布される。電解プレート２下方には対流プレート３が固設され、前記対流プレート３の中間部分には上向きの凸部３１が形成される。対応するように、前記水筒体１の底部には機器本体４が固設される。
【実施例３】
【００１１】
図１乃至図５に示すように、本発明の実施例に係る前記対流式電解カップは、水筒体１と、電解プレート２と、対流プレート３と、機器本体４とで構成される。前記水筒体１内のキャビティ下方の中心箇所には電解プレート２が水平に装着されると共に前記電解プレート２表面には複数のスルーホールが均等に分布される。各２つのスルーホールの間隔は等間隔である。また、前記電解プレート２下方には対流プレート３が固設され、前記対流プレート３の中間部分には上向きの凸部３１が形成され、且つ前記凸部３１は上に向けて電解プレート２の中心部位を貫通させる。前記凸部３１は電解プレート２表面の水平高度よりも高い。
【００１２】
以上の本発明の実施例に係る前記対流式電解カップは、作動時に、機器本体が起動され、電解プレートが動作を開始する。電解プレート上の陽極が水と接触すると酸素が発生し、水が流動して対流プレートに当たった後、対流が発生し、水中の酸素がより排出されやすくなる。すなわち、増設される対流プレートにより水の電解動作中に、水流が対流を発生させ、水中の酸素が水筒の上端から大気中へと放出され、水中の水素濃度が有効的に高まる。
【００１３】
上述の実施例の説明は前記技術分野の普通の技術者に対し本発明の技術への理解を促し、応用を容易にするためであり、本分野の技術に習熟する者ならばこれらの実施例に対して簡単に様々な修正を行うことができる。よって、本発明は以上の実施例に限られず、本分野の技術者が本案の掲示に基づいて行う本発明に対する改善及び修正は、例えば、対流プレートの両端の形状の変更、対流プレートのサイズ、電解プレートの形状及びサイズ等は、本発明の範囲を超える有益な効果がない限り、全て本発明の特許請求の保護範囲に含まれる。
【符号の説明】
【００１４】
１、水筒体
２、電解プレート
３、対流プレート
４、機器本体
３１、凸部
【図１】
2019519683.tif 000003
【図２】
2019519683.tif 000004
【図３】
2019519683.tif 000005
【図４】
2019519683.tif 000006
【図５】
2019519683.tif 000007
【国際調査報告】
2019519683.tif 000008
2019519683.tif 000009
2019519683.tif 000010
2019519683.tif 000011